(57)【特許請求の範囲】
【請求項１】
第１端部側の開口部に点火手段が固定され、軸方向に反対側の第２端部側が閉塞された筒状ハウジング内において、第１端部側から順に点火手段を備えた点火手段室、ガス排出口を有するガス流入室、および加圧ガス室が配置されており、
前記点火手段室から前記ガス流入室にかけての筒状ハウジングの内壁面が、軸方向に間隔をおいて突き出された第１移動制限部、第２移動制限部および停止部をこの順序で有しており、
前記第２移動制限部が、
前記点火手段室側の面が、前記点火手段室から前記ガス流入室にかけて内径が小さくなるような傾斜面で、前記ガス流入室側の面が、前記ガス流入室側の面と前記筒状ハウジング内壁面の間の角度（α１）が４５〜９０度の面であり、前記点火手段室側の面が、前記点火手段室側の面と前記筒状ハウジング内壁面の間の角度（α２）が５〜３０度の面であり、軸方向の断面形状が三角形のものであり、
前記加圧ガス室と前記ガス流入室の間が、前記筒状ハウジングの内周壁面から半径方向内側に延ばされた固定部と、前記固定部に固定された破裂板からなる閉塞手段で閉塞され、
前記点火手段室と前記ガス流入室の間には、前記筒状ハウジングの内壁面に外周面が当接されたベース部と、前記ベース部から前記破裂板側に延ばされたロッド部からなる前記破裂板の破壊手段が配置されており、
前記ロッド部が、前記ベース部から延ばされたロッド本体部と、前記ロッド本体部の先端部が半径方向に拡径された拡径部を有しているものであり、
作動前には、前記破壊手段のベース部が前記第１移動制限部と前記第２移動制限部の間に挟まれることで固定され、
作動後には、前記第２移動制限部の角度α１が４５〜９０度の面と前記停止部の間に挟まれることで軸方向両側への移動が停止される、ガス発生器。
【請求項２】
前記破壊手段が、ベース部とロッド部が一体になっているものであり、
前記ベース部が、厚さ方向に貫通孔を有している円板部を有し、軸方向に摺動できるように前記円板部の外周面が前記筒状ハウジングの内周壁面に当接されている、請求項１記載のガス発生器。
【請求項３】
前記破壊手段が、ベース部とロッド部が一体になっているものであり、
前記ベース部が、厚さ方向に貫通孔を有している円板部と、円板部の外周から前記点火手段側に延ばされた筒状壁面部からなるものであり、軸方向に摺動できるように前記筒状壁面部の外周面が前記筒状ハウジングの内周壁面に当接されている、請求項１または２記載のガス発生器。
【発明の詳細な説明】
【技術分野】
【０００１】
本発明は、車両に搭載するエアバッグ装置に使用できる、加圧ガスを使用したガス発生器に関する。
【背景技術】
【０００２】
加圧ガスを使用したガス発生器は、加圧ガスを封入するための閉塞部材を破壊して開口させる手段が必要であり、さらに開口後におけるガスの流出量を制御するため、開口部の断面積が一定であることも重要となる。
【０００３】
特許文献１の図９、図１０には、ロッド６６とピストンフット６７からなるピストン６５の移動によって、カバー４０に固定された閉塞部材３８をピストンフット６７で破壊する実施形態が示されている。
閉塞部材３８を破壊した後、ピストンフット６７はディフューザヘッド１３ｂの窪み６０に当たる。
閉塞部材３８が破壊されることで開口３９が形成され、開口３９とロッド６６の隙間６９から加圧ガス室１１内の加圧ガスが流出する。
しかし、図９および図１０に示す実施形態では、ロッド６６の半径方向の位置を固定する手段が不明であり、隙間６９の断面積が一定に維持できるかどうか不明である。
【０００４】
特許文献２の図１には動作前、図２には動作後の状態が示されている。段落番号００２５には、キャニスタ６４が図１に示す位置から図２に示す位置まで移動するとき、タブ部材９９が図１に示す引っ込められた状態から図２に示す延ばされた状態まで移動すること、タブ部材９９は、図２に示す延ばされた状態にあるとき、側壁部分２０の内面と摩擦係合し、キャニスタ６４が図１に示す位置に向かって後方に移動しないようにすることが記載されている。
タブ部材９９の詳細は不明であるが、図２からは、側壁部分２０の内面とごく狭い面積で接触していることが確認され、側壁部分２０の内面にも停止手段は形成されていないことから、キャニスタ６４の移動停止手段としては充分であるとは言えない。
【先行技術文献】
【特許文献】
【０００５】
【特許文献１】米国特許第６，４９９，７６４明細書
【特許文献２】特開平８−８５４１０号公報
【発明の概要】
【発明が解決しようとする課題】
【０００６】
本発明は、車両に搭載するエアバッグ装置用に使用できる、加圧ガスを使用したガス発生器であり、車両の耐用年数の間、作動の確実性を維持することができるガス発生器を提供することを課題とする。
【課題を解決するための手段】
【０００７】
本発明は、課題の解決手段として、
第１端部側の開口部に点火手段が固定され、軸方向に反対側の第２端部側が閉塞された筒状ハウジング内において、第１端部側から順に点火手段を備えた点火手段室、ガス排出口を有するガス流入室、および加圧ガス室が配置されており、
前記点火手段室から前記ガス流入室にかけての筒状ハウジングの内壁面が、軸方向に間隔をおいて突き出された第１移動制限部、第２移動制限部および停止部をこの順序で有しており、
前記第２移動制限部が、
前記点火手段室側の面が、前記点火手段室から前記ガス流入室にかけて内径が小さくなるような傾斜面で、前記ガス流入室側の面が、前記面と前記筒状ハウジングの間の角度（α１）が９０度以下の面である、軸方向の断面形状が三角形のものであり、
前記加圧ガス室と前記ガス流入室の間が、前記筒状ハウジングの内周壁面から半径方向内側に延ばされた固定部と、前記固定部に固定された破裂板からなる閉塞手段で閉塞され、
前記点火手段室と前記ガス流入室の間には、前記筒状ハウジングの内壁面に外周面が当接されたベース部と、前記ベース部から前記破裂板側に延ばされたロッド部からなる前記破裂板の破壊手段が配置されており、
前記ロッド部が、前記ベース部から延ばされたロッド本体部と、前記ロッド本体部の先端部が半径方向に拡径された拡径部を有しているものであり、
作動前には、前記破壊手段のベース部が前記第１移動制限部と前記第２移動制限部の間に挟まれることで固定され、
作動後には、前記第２移動制限部の角度α１が９０度以下の面と前記停止部の間に挟まれることで軸方向両側への移動が停止される、ガス発生器を提供する。
【０００８】
点火手段室は、エアバッグ装置のガス発生器で使用される周知の電気式点火器を含むものであり、必要に応じて伝火薬やガス発生剤を併用することができる。
ガス発生剤から発生するガスは、エアバッグ展開用に使用することができる。
【０００９】
加圧ガス室には、アルゴン、ヘリウム、窒素ガスなどのガスが所要圧力で充填されている。
ガス流入室を形成する筒状ハウジングには、ガス排出口が形成されている。なお、ガス排出口を内側から覆う位置に筒状フィルタを配置することができる。
【００１０】
点火手段室からガス流入室にかけての筒状ハウジングの内壁面は、軸方向に間隔をおいて形成された第１移動制限部、第２移動制限部および停止部をこの順序で有している。
第１移動制限部は、作動前において点火手段室側に破壊手段（ベース部）が移動しないようにすることができるものであればよい。
第２移動制限部は、作動前において破裂板側（加圧ガス室側）に破壊手段（ベース部）が移動しないようにすることができるものであればよい。
停止部は、作動時において軸方向に移動した破壊手段が停止部で停止されるようできるものであればよい。
第１移動制限部は、筒状ハウジングの内径が小さくなっている部分、環状突起が形成されている部分、および独立突起が環状に配置された部分などにすることができる。
第２移動制限部は、環状突起が形成されている部分、および独立突起が環状に配置された部分などにすることができる。
第２移動制限部は、軸方向の断面形状が三角形のものである。
第第２移動制限部は、点火手段室側の面が、点火手段室からガス流入室にかけて内径が小さくなるような傾斜面である。
第２移動制限部は、ガス流入室側の面が、前記ガス流入室側の面と筒状ハウジングの間の角度（α１）が９０度以下の面である。
前記角度（α１）は、４５〜９０度の範囲が好ましい。
停止部は、筒状ハウジングの内径が小さくなっている部分、環状突起が形成されている部分、および独立突起が環状に配置された部分などにすることができる。
【００１１】
閉塞手段は、加圧ガス室とガス流入室の間を閉塞しているものであり、筒状ハウジングの内周壁面から半径方向内側に延ばされた固定部と、固定部に固定された破裂板からなるものである。
【００１２】
点火手段室とガス流入室の間には、前記破裂板の破壊手段が配置されている。
破壊手段は、ベース部と、前記ベース部から破裂板側に延ばされたロッド部からなるものである。
ベース部は、外周面が前記筒状ハウジングの内周壁面に当接されている。
破壊手段は、作動時において、ベース部が筒状ハウジングの内周壁面に当接された状態で軸方向に摺動することで、ベース部とロッド部が一体になって軸方向（破裂板の方向）に移動して破裂板を破壊する。
【００１３】
ロッド部は、ロッド本体部と、前記ロッド本体部から半径方向に拡径された拡径部を有しており、前記拡径部がロッド部の先端部に位置している。
さらに拡径部を含むロッド先端部の端面は、全体として外周から中心方向に窪んだ形状（例えば湾曲した形状）にすることができる。このような形状であると、打ち抜いた破裂板をくぼみで受けやすくなる。
【００１４】
破壊手段は、作動前にはベース部が第１移動制限部と第２移動制限部の間に挟まれることで固定されている。
このため、外部から加えられた振動によって破壊手段が軸方向に移動することが防止されている。
破壊手段は、作動時には第２移動制限部の傾斜面を乗り越えて移動して、第２移動制限部の角度α１が９０度以下の面と前記停止部の間に挟まれることで軸方向両側への移動が停止される。
角度α１が９０度を超えるような面であると、加圧ガス室からガス流入室へのガス流に押されてベース部が逆戻りする可能性があるが、角度α１が９０度または９０度未満の面であると、ベース部が逆戻りすることがない。そのため破壊手段が軸Ｘ方向に移動した後は、ロッド本体部と固定部４２の筒状壁部４４とに断面積一定の環状の隙間が形成されることから、加圧ガス室からガス排出口にいたる排出経路を加圧ガスが流れるときの流量がこの環状の隙間によって定まり、ガス発生器の出力が安定する。この点から、ロッド本体部はロッド拡径部からベース部にかけて一定の外径を有するものとして形成されるのが好ましい。
【００１５】
上記発明のガス発生器は、
前記破壊手段が、ベース部とロッド部が一体になっているものであり、
前記ベース部が、厚さ方向に貫通孔を有している円板部を有し、軸方向に摺動できるように前記円板の外周面が前記筒状ハウジングの内周壁面に当接されているものにすることができる。
【００１６】
破壊手段は、ベース部とロッド部が一体になっているものであるから、作動時には、ベース部が筒状ハウジングの内周壁面を破裂板方向に摺動しながら移動して、ロッド部が破裂板に衝突して破壊して開口させる。
ベース部の貫通孔は、点火手段室にガス発生剤が充填されている場合には、燃焼ガスの通過孔となる。
ベース部の貫通孔は、アルミニウムなどからなるシールテープで閉塞されていてもよい。なお、ここでいう一体とはガス発生器の作動時に一体になっている状態が維持できればよいことを指し、ベース部とロッド部を別の部品で形成し、溶接などの方法で固定したものであってもよい。
【００１７】
上記発明のガス発生器は、
前記破壊手段が、ベース部とロッド部が一体になっているものであり、
前記ベース部が、厚さ方向に貫通孔を有している円板部と、円板部の外周から前記点火手段側に延ばされた筒状壁面部からなるものであり、軸方向に摺動できるように前記筒状壁面部の外周面が前記筒状ハウジングの内周壁面に当接されているものにすることができる。
【００１８】
破壊手段は、ベース部とロッド部が一体になっているものであるから、作動時には、ベース部が筒状ハウジングの内周壁面を破裂板方向に摺動しながら移動して、ロッド部が破裂板に衝突して破壊して開口させる。
ベース部は、円板部と環状壁面部からなるものであり、ベース部が円板部のものと比べると、筒状ハウジングの内周壁面との接触面積が大きくなるため、摺動し難くなるが、摺動時におけるロッド部の中心軸がぶれ難くなる点で有利である。
ただし、筒状壁面部の一部を窪ませることで、ハウジングの内周壁面との接触面積が小さくなるようにしてもよい。
ベース部の貫通孔は、点火手段室にガス発生剤が充填されている場合には、燃焼ガスの通過孔となる。
ベース部の貫通孔は、アルミニウムなどからなるシールテープで閉塞されていてもよい。
【発明の効果】
【００１９】
本発明のガス発生器は、車両のエアバッグ装置に使用したとき、車両の耐用年数の間、作動の確実性を維持することができる。
【図面の簡単な説明】
【００２０】
【図１】本発明のガス発生器の軸Ｘ方向の断面図。
【図２】図１の部分拡大図（作動前）。
【図３】図１の部分拡大図であり、作動後の状態を示している。
【図４】図１の第２移動制限部（第２突起）の部分拡大図。
【図５】図１の部分拡大図であり、別実施形態を示している。
【００２１】
（１）図１〜図３のガス発生器
図１に示すガス発生器１は、筒状ハウジング１０内に点火手段室３０、ガス流入室４０、および加圧ガス室５０が配置されている。
筒状ハウジング１０は、点火手段室ハウジング１１と加圧ガス室ハウジング１２からなるものであるが、全体として１つのハウジングからなるものでもよい。
点火手段室ハウジング１１は、第１端部１１ａ側の開口部に電気式点火器２５が固定されている。
加圧ガス室ハウジング１２の第２端部１２ａ側は閉塞されている（閉塞面１３）。
点火手段室ハウジング１１の第２端部１１ｂの開口部と加圧ガス室ハウジング１２の第１端部１２ｂの開口部が接合部１４において溶接一体化されている。
筒状ハウジング１０（点火手段室ハウジング１１と加圧ガス室ハウジング１２）は、鉄、ステンレスなどからなるものである。
【００２２】
加圧ガス室５０内には、アルゴン、ヘリウムなどのガスが高圧で充填されている。
ガスは、加圧ガス室ハウジング１２の閉塞面１３のガス充填孔から充填される。
ガス充填孔は、ガス充填後にピン１５を差し込んだ状態で、ピン１５と閉塞面１３が共に溶接されることで閉塞されている。
【００２３】
加圧ガス室５０とガス流入室４０の間は閉塞手段４１で閉塞されている。
閉塞手段４１は、固定部４２と、固定部４２に溶接固定された破裂板４７からなる。
固定部４２は、点火手段室ハウジング１１の第２端部１１ｂから半径方向内側に延ばされた環状板面部４３と、環状板面部４３の内周部からガス流入室４０側に延ばされた筒状壁部４４を有している（図２参照）。
固定部４２の環状板面部４３と筒状壁部４４の境界部分は曲面になっている。
固定部４２の環状板面部４３は、加圧ガス室５０側の面に環状溝４８を有している（図２参照）。
破裂板４７は、鉄、ステンレスなどからなるものであり、固定部４２の環状板面部４３に形成された環状溝４８に対して周辺部を当接させた状態で、当接部分において溶接固定されている。このとき、加圧ガス室５０に充填された加圧ガスの圧力によって、環状板面部４３と筒状壁部４４の間の境界部分の曲面部に沿って破裂板４７がガス流入室４０側に変形することから、境界部分において破裂板への応力の集中が曲面部によって回避される。これにより破裂板の耐圧性が高められている。
【００２４】
ガス流入室４０は、作動時において加圧ガス室５０からガスが流入し、点火手段室３０から燃焼ガスが流入する空間である。
図２ではガス流入室４０に面した点火手段室ハウジング１１には、複数のガス排出口２９が形成されている。
複数のガス排出口２９は、点火手段室ハウジング１１の周方向に均等間隔をおいて形成されている。
ガス流入室３０のガス排出口２９を内側から覆う位置には、公知のフィルタ６０を配置することができる（図５）。
【００２５】
ガス流入室４０と点火手段室３０の間には、ベース部３２と、ベース部３２から破裂板４７側に延ばされたロッド部３３からなる破壊手段３１が配置されている。
図１〜図３に示されている破壊手段３１は、ベース部３２とロッド部３３が一体になっているものである。
ベース部３２は、厚さ方向に複数の貫通孔３４を有している円板部３５と、円板部３５の外周から点火器２５側に延ばされた筒状壁面部３６からなるものである。
貫通孔３４は、アルミニウムからなるシールテープで点火手段室３０側から閉塞されている。
ベース部３２は、軸Ｘ方向に摺動できるように筒状壁面部３６の外周面３６ａが点火手段室ハウジング１１の内周壁面１１ｃに当接されている。筒状壁面部３６の軸方向（軸Ｘ方向）の長さが円板部３５の厚みより大きいため、ロッド部３３が軸Ｘに対して傾くことがなく、ベース部３２が軸Ｘ方向に平行に摺動する。
なお、筒状壁面部３６の外周面３６ａと点火手段室ハウジング１１の内周壁面１１ｃの間には、点火手段室３０内の気密性を維持するためのシール剤が塗布されている。
【００２６】
ロッド部３３は、ベース部３２から延ばされたロッド本体部３７と、ロッド本体部３７から半径方向外側に拡径された拡径部３８を有している。
拡径部３８の直径（ｄ２）は、筒状壁部４４の内径（ｄ１）よりも小さくなっている。
ロッド部３３の拡径部３８の面３８ａ（図２参照）は、図１〜図３に示すように中心方向に湾曲した形状になっているが、例えば矩形に窪んだ凹部であってもよい。
【００２７】
破壊手段３１と閉塞手段４１は、ロッド３３の先端部である拡径部３８が、作動前の状態では固定部４２の筒状壁部４４で包囲されるように配置されている。このとき、拡径部３８の外周部と筒状壁部４４の内周面４４ａの間にはわずかな隙間が形成されている（ｄ１＞ｄ２であり、ｄ１／ｄ２が１に近い数値となる）。
【００２８】
点火手段室３０には、第１端部１１ａ側に点火器２５が固定されており、軸Ｘ方向の反対側は、ベース部３２で仕切られている。
点火手段室３０内には、所要量のガス発生剤成形体２６が充填されている。
【００２９】
点火手段室３０からガス流入室４０にかけての筒状ハウジングの内壁面１１ｃは、軸方向に間隔をおいて突き出された第１移動制限部となる第１突起１６、第２移動制限部となる第２突起１７および停止部となる縮径部１８をこの順序で有している。
第１突起１６は、環状の突起でもよいし、複数の突起が環状に配置されたものでもよい。
第１突起１６は、作動前の破壊手段３１の軸Ｘ方向（点火手段室３０側）への移動を防止できる程度の高さの突起であればよい。
第２突起１７は、環状の突起でもよいし、複数の突起が環状に配置されたものでもよく、図２〜図４に示すとおり、軸Ｘ方向の断面形状が三角形のものである。
点火手段室３０側の面１７ａは、点火手段室３０からガス流入室４０にかけて内径が小さくなるような傾斜面である。前記傾斜面は、図４に示す角度α２（内壁面１１ｃに対する傾斜面１７ａの角度）が５〜３０度の範囲程度の傾斜面にすることができる。
ガス流入室４０側の面１７ｂは、面１７ｂと筒状ハウジング内壁面１１ｃの間の角度α１が９０度の面（垂直面）である。
縮径部（段差部）１８は、筒状ハウジング１１の内径を小さくすることで段差が形成された段差部であるが、環状の突起でもよいし、複数の突起が環状に配置されたものでもよい。
【００３０】
次に、図１に示すガス発生器１の動作を図１〜図５により説明する。
作動前（図１、図２の状態）には、破壊手段のベース部３２の筒状壁面部３６は、第１突起１６と第２突起１７によって厚さ方向の両側から挟み付けられて固定されている。
ガス発生器を取り付けたエアバッグ装置を車両に搭載したとき、作動前には外部から振動が加えられることがあるが、そのような振動によっても、破壊手段３１（ベース部３２）が軸Ｘ方向に移動することが防止されている。
【００３１】
また、ガス発生器１を車両のエアバッグシステム用のガス発生器として使用した場合、車両の耐用年数である１０年以上もの間、継続使用されることになる。
このため、閉塞手段４１に対しては加圧ガス室５０から継続して高い圧力が加えられることになる。
このように継続して圧力が加えられたとき、固定部４２の環状板面部４３が、環状板面部４３と点火手段室ハウジング１１の境界部辺りからガス流入室４０側に変形することが考えられる。すると筒状壁部４４は、ガス流入室４０側の端部が半径方向外側に変形するようになり、筒状壁部４４のｄ１（図５）が大きくなる。
ガス発生器１の組み立て直後は、ロッド部３３の拡径部３８（外径ｄ２；図３参照）が筒状壁部４４の内壁面４４ａとわずかに隙間を形成しており（即ち、ｄ１＞ｄ２）、前記のとおり、仮にｄ１が大きくなるように変形した場合には、さらにｄ１＞ｄ２となる（ｄ１−ｄ２の差が大きくなる）。
このため、ガス発生器１の組み立て直後から１０年以上経過後において、固定部４２の変形が発生したとしても、ｄ１＞ｄ２の関係を維持することができるため、破壊手段３１の軸Ｘ方向の摺動に影響を与えることがない。
【００３２】
点火器２５が作動して発生した燃焼生成物によって、ガス発生剤成形体２６が着火燃焼して、高温の燃焼ガスを発生させる。
燃焼ガスにより点火手段室２０内の圧力が上昇すると、破壊手段３１のベース部３２が突起１７の傾斜面１７ａを越え、軸Ｘ方向に点火手段室ハウジングの内周壁面１１ｃを摺動しながら移動する。
その後、ベース部３２は、内径が小さくなった段差部１８に衝突して停止するが、ロッド部３３の拡径部３８は破裂板４７に衝突して破壊するため、加圧ガス室５０内のガスは、破裂板４７の開口部（筒状壁部４４の内周面４４ａ）とロッド本体部３７の間の環状の隙間３９を通ってガス流入室４０内に流入する（図３）。
これと並行して、ベース部３２の貫通孔３４を塞ぐシールテープが燃焼ガスの圧力によって破られ、貫通孔３４からガス流入室４０内に燃焼ガスが流入する。
【００３３】
図３の状態では、環状の隙間３９からガス流入室４０内にガスが流入するとき、破壊手段３０（ベース部３２）が圧力を受けて、第２突起１７を乗り越えて点火手段室３０側に戻り、拡径部３８が筒状壁部４４の内周面４４ａ内に位置するようなことがあると、環状の隙間３９の断面積が変化して、安定したガス流量を維持することができなくなる。
本発明のガス発生器１０では、図２、図３のとおり、第２突起１７の垂直面１７ｂの角度α１が９０度であることから、破壊手段３０（ベース部３２）が第２突起１７を乗り越えて点火手段室３０側に戻ることがない。このため、環状の隙間３９の断面積は一定に維持される。なお上記の機能を発現させるため、作動時に破壊手段が軸Ｘ方向に移動する距離は、作動前の拡径部３８の面３８ａと破裂板４７との距離よりも大きくなるようにする。また本発明のガス発生器では、加圧ガス室５０からガス排出口２９に至る加圧ガスの排出経路において、環状の隙間３９の断面積が最小になるようにしている。
【００３４】
なお、固定部４２が筒状壁部４４を有するようにすることで、作動時において、破壊手段３１（ベース部３２）が摺動するとき、ロッド部３３の中心軸がずれるようなことがあった場合でも、筒状壁部４４がガイド機能を発揮するため、確実に破裂板に４７に衝突するので好ましい。
【００３５】
ガス流入室４０内に流入した燃焼ガスと加圧ガスは、ガス排出口２９から排出される。
なお、燃焼ガスと加圧ガスの排出状態は、いずれか一方のガスの一部がガス排出口２９から排出された後、残部ガスが混合ガスとして排出されることも考えられるが、ガスの排出状態やタイミングは限定されるものではない。
【符号の説明】
【００３６】
１  ガス発生器
１０  筒状ハウジング
１６  第１移動制限部（第１突起）
１７  第２移動制限部（第２突起）
１７ａ  傾斜面
１７ｂ  垂直面
１８  停止部（縮径部）
２５  点火器
３０  点火手段室ハウジング
３１  破壊手段
３２  ベース部
３３  ロッド部
３８  拡径部
４０  ガス流入室
４１  閉塞部材
４２  固定部
４７  破裂板
５０  加圧ガス室
【図１】
0006312571.tif 000002
【図２】
0006312571.tif 000003
【図３】
0006312571.tif 000004
【図４】
0006312571.tif 000005
【図５】
0006312571.tif 000006